(57)【要約】【課題】本発明は、あらゆるサイズの乗客コンベアに対して照明器具の取付作業を容易に行うとともに、設計の自由度を向上させることを目的とするものである。【解決手段】欄干照明装置８は、複数の棒状の照明器具１０と、照明取付部７ａの下面に設けられている第１の面ファスナ１１と、照明器具１０にそれぞれ設けられており、第１の面ファスナ１１に結合されている複数の第２の面ファスナ１２とを有している。照明器具１０は、第２の面ファスナ１２を第１の面ファスナ１１に結合させることにより、照明取付部７ａに固定されている。【選択図】図３
2016222436.tif 000002
【特許請求の範囲】
【請求項１】
踏段の両側に設置されている一対の欄干本体、
前記踏段の移動方向に沿って並べて配置されている複数の照明器具、
前記欄干本体に設けられている第１の面ファスナ、及び
前記照明器具にそれぞれ設けられている複数の第２の面ファスナ
を備え、
前記照明器具は、前記第２の面ファスナを前記第１の面ファスナに結合させることにより、前記欄干本体に固定されている乗客コンベアの欄干装置。
【請求項２】
前記第１の面ファスナは、前記照明器具の設置範囲の全長に渡って連続して設けられている請求項１記載の乗客コンベアの欄干装置。
【請求項３】
前記第２の面ファスナは、前記踏段の移動方向に沿う方向の各前記照明器具の両端部に設けられている請求項２記載の乗客コンベアの欄干装置。
【請求項４】
一部の前記第２の面ファスナと前記照明器具との間に嵩上げ台が設けられている請求項１から請求項３までのいずれか１項に記載の乗客コンベアの欄干装置。
【発明の詳細な説明】
【技術分野】
【０００１】
この発明は、乗客コンベアの欄干装置に係り、特に照明器具の欄干本体への固定構造に関するものである。
【背景技術】
【０００２】
従来の乗客コンベアの欄干照明装置では、欄干パネルの上端部に固定部材が固定されている。固定部材には、複数のユニットホルダがねじにより固定されている。ユニットホルダには、一対の爪部が設けられている。照明器具は、爪部により把持されている（例えば、特許文献１参照）。
【０００３】
また、従来の他の乗客コンベアの欄干照明装置では、板ばね式の複数のユニットホルダが、ガードレールに互いに間隔をおいて配置されている。ユニットホルダには、複数の棒状の長尺ＬＥＤユニットが把持されている（例えば、特許文献２参照）。
【先行技術文献】
【特許文献】
【０００４】
【特許文献１】特開２０１３−１９９３３２号公報
【特許文献２】特開２０１３−２４１２３５号公報
【発明の概要】
【発明が解決しようとする課題】
【０００５】
上記のような従来の欄干照明装置のユニットホルダは、工場又は据付現場において、欄干上部のガードレール内の照明取付部に溶接又は接着などにより取り付けられる。また、一般的に、照明器具は、その長さ寸法がある一定寸法（例えば１５０ｍｍ）の倍数となるように製作されるため、欄干の全長に照明器具を配置する場合は、数種類の長さ寸法の照明器具を組み合わせて使用することになる。
【０００６】
これに対して、上記のような従来の欄干照明装置では、ユニットホルダが照明器具の両端付近に配置されるため、ユニットホルダの取付間隔が、照明器具の長さ寸法に応じてそれぞれ異なるものとなる。また、乗客コンベアは、設置される建物ごとにそれ自体の全長及び照明器具の全長が異なるため、その長さごとにユニットホルダの取付間隔を設定する必要がある。
【０００７】
このように、ユニットホルダの取付間隔が一定でないため、工場又は据付現場でのユニットホルダの取付作業の単純化が難しいという問題があった。また、ユニットホルダは、照明器具の光源を隠さないような形状にする必要があり、設計時の制約になっていた。
【０００８】
この発明は、上記のような課題を解決するためになされたものであり、あらゆるサイズの乗客コンベアに対して照明器具の取付作業を容易に行うことができるとともに、設計の自由度を向上させることができる乗客コンベアの欄干装置を得ることを目的とする。
【課題を解決するための手段】
【０００９】
この発明に係る乗客コンベアの欄干装置は、踏段の両側に設置されている一対の欄干本体、踏段の移動方向に沿って並べて配置されている複数の照明器具、欄干本体に設けられている第１の面ファスナ、及び照明器具にそれぞれ設けられている複数の第２の面ファスナを備え、照明器具は、第２の面ファスナを第１の面ファスナに結合させることにより、欄干本体に固定されている。
【発明の効果】
【００１０】
この発明の乗客コンベアの欄干装置は、欄干本体に第１の面ファスナを設けるとともに、照明器具に第２の面ファスナを設け、第２の面ファスナを第１の面ファスナに結合させることにより、照明器具が欄干本体に固定されているので、あらゆるサイズの乗客コンベアに対して照明器具の取付作業を容易に行うことができるとともに、設計の自由度を向上させることができる。
【図面の簡単な説明】
【００１１】
【図１】この発明の実施の形態１によるエスカレータを示す概略の構成図である。
【図２】図１の欄干本体の縦断面図である。
【図３】図２の欄干照明装置を下から見上げた様子を示す斜視図である。
【図４】この発明の実施の形態２による欄干装置の要部を示す側面図である。
【発明を実施するための形態】
【００１２】
以下、この発明を実施するための形態について、図面を参照して説明する。
実施の形態１．
図１はこの発明の実施の形態１によるエスカレータを示す概略の構成図である。図１において、トラス１は、上下階の建築梁２ａ，２ｂ間に架設されている。トラス１には、無端状に連結された複数の踏段３が支持されている。踏段３は、トラス１内に設置された複数のレール（図示せず）に案内されて循環移動する。
【００１３】
踏段３の両側のトラス１上には、一対の欄干本体４が立てられている。各欄干本体４には、踏段３に同期して循環移動する無端状の移動手摺５が設けられている。移動手摺５は、その往路において欄干本体４上を移動する。また、移動手摺５は、欄干本体４の一端部のニュアル部で折り返されてトラス１内を移動し、欄干本体４の他端部から引き出されている。
【００１４】
移動手摺５の移動経路の往路側区間は、下側水平部Ａ、下曲部Ｂ、中間傾斜部Ｃ、上曲部Ｄ及び上側水平部Ｅを有している。下側水平部Ａ、中間傾斜部Ｃ及び上側水平部Ｅは直線区間であり、下曲部Ｂ及び上曲部Ｄは曲線区間である。
【００１５】
図２は図１の欄干本体４の縦断面図、図３は図２の欄干照明装置を下から見上げた様子を示す斜視図である。
【００１６】
欄干本体４は、その主体である内側板６と、内側板６の上端部に固定されたガードレール７とを有している。ガードレール７は、内側板６の上端部の外側に位置する照明取付部７ａと、照明取付部７ａ上に固定され移動手摺５を案内する手摺案内部７ｂとを有している。照明取付部７ａは、下方へ向けて開口している。
【００１７】
照明取付部７ａには、欄干照明装置８が収容されている。実施の形態１の欄干装置は、欄干本体４、移動手摺５、及び欄干照明装置８を有している。欄干照明装置８は、移動手摺５の往路側区間の全長に渡って連続して設けられている。また、欄干照明装置８は、その照射面が下向きになるように照明取付部７ａに取り付けられている。
【００１８】
照明取付部７ａの開口には、透光性樹脂製の照明カバー９が嵌め込まれている。照明カバー９は、移動手摺５の往路側区間の全長に渡って連続して設けられている。
【００１９】
欄干照明装置８は、複数の棒状の照明器具１０と、照明取付部７ａの下面に設けられている第１の面ファスナ１１と、照明器具１０にそれぞれ設けられており、第１の面ファスナ１１に結合されている複数の第２の面ファスナ１２とを有している。照明器具１０は、踏段３の移動方向に沿って並べて配置されている（図３では１本のみ示す）。
【００２０】
各照明器具１０は、複数のＬＥＤ素子１０ａを有している。即ち、実施の形態１の照明器具１０は、ＬＥＤユニットである。ＬＥＤ素子１０ａは、照明器具１０の長手方向（踏段３の移動方向に沿う方向）に互いに間隔をおいて配置されている。また、各照明器具１０の両端部からは、配線（口出線）１０ｂが引き出されている。
【００２１】
第１の面ファスナ１１は、照明器具１０の設置範囲の全長に渡って連続して設けられている。第２の面ファスナ１２は、各照明器具１０に部分的に設けられている。この例では、第２の面ファスナ１２は、各照明器具１０の長手方向の両端部のみに設けられている。照明器具１０は、第２の面ファスナ１２を第１の面ファスナ１１に結合させることにより、照明取付部７ａに固定されている。
【００２２】
このような欄干装置では、照明取付部７ａの下面に第１の面ファスナ１１が設けられているとともに、各照明器具１０に第２の面ファスナ１２が設けられているので、ガードレール７を製作するときは、照明器具１０の長さ及び第２の面ファスナ１２の取付位置を気にする必要がなく、あらゆるサイズのエスカレータに対して照明器具１０の取付作業を容易に行うことができるとともに、設計の自由度を向上させることができる。
【００２３】
また、第１の面ファスナ１１が照明器具１０の設置範囲の全長に渡って連続して設けられているので、照明器具１０は照明取付部７ａの全長のどこにでも取り付けることができる。このため、照明器具１０の長さが不均一で、異なる長さの照明器具１０を組み合わせて用いる場合でも、照明取付部７ａ側は第１の面ファスナ１１を全長に取り付けるだけの単純作業化ができ、ガードレール７の生産性を向上させることができる。また、ガードレール７の長さ寸法の共通化及び部品種類の削減を図ることができる。
【００２４】
さらに、第２の面ファスナ１２は、照明器具１０に部分的に設けられているので、第２の面ファスナ１２の使用量を必要最小限に抑え、照明器具１０の着脱性も向上させることができる。
さらにまた、第２の面ファスナ１２は、照明器具１０の長手方向の両端部に設けられているので、第２の面ファスナ１２の使用量を抑えつつ、照明器具１０を照明取付部７ａに安定して固定することができる。
【００２５】
実施の形態２．
次に、図４はこの発明の実施の形態２による欄干装置の要部を示す側面図である。移動手摺５の移動経路のうち、下曲部Ｂでは、照明取付部７ａが照明器具１０に対して凸形状となる。このため、単に照明器具１０の両端部に第２の面ファスナ１２を設けても、第１の面ファスナ１１との距離が遠くなることがある。このような場合、下曲部Ｂに位置する第２の面ファスナ１２と照明器具１０との間に嵩上げ台１３を介在させる。他の構成は、実施の形態１と同様である。
【００２６】
このような構成によれば、下曲部Ｂにおいても、第２の面ファスナ１２を第１の面ファスナ１１にしっかりと結合させることができ、照明器具１０を照明取付部７ａに安定して固定することができる。
【００２７】
なお、嵩上げ台１３を用いる代わりに、下曲部Ｂに位置する第２の面ファスナ１２の厚みを他の第２の面ファスナ１２の厚みよりも大きくしてもよい。
また、実施の形態１、２では、第２の面ファスナ１２を照明器具１０の上面に設けたが、照明器具１０の側面に設けてもよい。この場合、第１の面ファスナ１１は、照明器具１０の側面に対向する照明取付部７ａの内壁面に設ければよい。
さらに、実施の形態１、２では、第１の面ファスナ１１を照明取付部７ａの全長に渡って設けたが、例えば照明器具１０の長さが不均一になる一部区間のみに面ファスナによる結合を適用することも可能である。
さらにまた、実施の形態１、２では、欄干本体４の上部に欄干照明装置８が設けられているが、欄干本体４の下部の踏段３の近傍に欄干照明装置８が設けられる場合にも、この発明は適用できる。
また、実施の形態１、２では、照明器具１０の光源としてＬＥＤ素子１０ａを示したが、光源はこれに限定されるものではなく、例えば蛍光灯などであってもよい。
さらに、この発明は、動く歩道の欄干装置にも適用できる。
【符号の説明】
【００２８】
３  踏段、４  欄干本体、１０  照明器具、１１  第１の面ファスナ、１２  第２の面ファスナ、１３  嵩上げ台。
【図１】
2016222436.tif 000003
【図２】
2016222436.tif 000004
【図３】
2016222436.tif 000005
【図４】
2016222436.tif 000006